(57)【要約】  設備制御部（１０１）は、建物の内部に入る日射を遮蔽する遮蔽設備を制御する。通知部（１０２）は、遮蔽設備により日射の少なくとも一部が遮蔽されているときに、日射の遮蔽による効果と相反する運転効果を有する設備機器に対して運転出力を上げる操作がなされた場合、建物の利用者に予め定められた情報を通知する。
2018179400.tif 000002
【特許請求の範囲】
【請求項１】
建物の内部に入る日射を遮蔽する遮蔽設備を制御する設備制御手段と、
前記遮蔽設備により前記日射の少なくとも一部が遮蔽されているときに、前記日射の遮蔽による効果と相反する運転効果を有する設備機器に対して運転出力を上げる操作がなされた場合、前記建物の利用者に予め定められた情報を通知する通知手段と、を備える、
制御装置。
【請求項２】
前記通知手段は、前記日射の少なくとも一部が遮蔽されているときに前記操作がなされた場合、前記日射の遮蔽量を減らすことの許可を求める情報を前記利用者に通知し、
前記利用者から前記許可を受け付ける許可受付手段を更に備え、
前記設備制御手段は、前記許可が受け付けられた場合、前記遮蔽設備の制御により前記日射の遮蔽量を減らす、
請求項１に記載の制御装置。
【請求項３】
前記設備機器に対する前記操作を受け付ける操作受付手段と、
前記操作に基づいて前記設備機器を制御する機器制御手段と、を更に備え、
前記機器制御手段は、前記許可が受け付けられた場合、前記操作に基づいて前記設備機器を制御しない、
請求項２に記載の制御装置。
【請求項４】
前記設備機器に対する前記操作を受け付ける操作受付手段と、
前記操作に基づいて前記設備機器を制御する機器制御手段と、を更に備え、
前記機器制御手段は、予め定められた制御モードが設定され前記日射の少なくとも一部が遮蔽されているときに前記操作がなされた場合、前記操作に基づいて前記設備機器を制御する、
請求項１に記載の制御装置。
【請求項５】
前記設備制御手段は、前記制御モードが設定され前記日射の少なくとも一部が遮蔽されているときに前記操作がなされた場合、前記遮蔽設備の制御により前記日射の遮蔽量を減らし、
前記通知手段は、前記制御モードが設定され前記日射の少なくとも一部が遮蔽されているときに前記操作がなされた場合、前記日射の遮蔽量を減らしたことを知らせる情報を前記利用者に通知する、
請求項４に記載の制御装置。
【請求項６】
前記通知手段は、前記制御モードが設定され前記日射の少なくとも一部が遮蔽されているときに前記操作がなされた場合、前記日射の遮蔽量を減らすことの許可を求める情報を前記利用者に通知し、
前記利用者から前記許可を受け付ける許可受付手段を更に備え、
前記設備制御手段は、前記許可が受け付けられた場合、前記遮蔽設備の制御により前記日射の遮蔽量を減らす、
請求項４に記載の制御装置。
【請求項７】
前記通知手段は、前記予め定められた情報を表示する表示手段である、
請求項１から６の何れか１項に記載の制御装置。
【請求項８】
前記通知手段は、前記予め定められた情報を表示する表示装置に前記予め定められた情報を送信する送信手段である、
請求項１から６の何れか１項に記載の制御装置。
【請求項９】
前記予め定められた情報は、表示回数と表示頻度とのうちの少なくとも一方に応じて段階的に切り替えられる情報である、
請求項７又は８に記載の制御装置。
【請求項１０】
制御装置と端末装置とを備える制御システムであって、
前記制御装置は、
建物の内部に入る日射を遮蔽する遮蔽設備を制御する設備制御手段と、
前記遮蔽設備により前記日射の少なくとも一部が遮蔽されているときに、前記日射の遮蔽による効果と相反する運転効果を有する設備機器に対して運転出力を上げる操作がなされた場合、予め定められた情報を前記端末装置に送信する送信手段と、を備え、
前記端末装置は、前記送信手段により送信された情報を表示する表示手段を備える、
制御システム。
【請求項１１】
建物の内部に入る日射を遮蔽する遮蔽設備を制御し、
前記遮蔽設備により前記日射の少なくとも一部が遮蔽されているときに、前記日射の遮蔽による効果と相反する運転効果を有する設備機器に対して運転出力を上げる操作がなされた場合、予め定められた情報を表示する、
制御方法。
【請求項１２】
コンピュータを、
建物の内部に入る日射を遮蔽する遮蔽設備を制御する設備制御手段、
前記遮蔽設備により前記日射の少なくとも一部が遮蔽されているときに、前記日射の遮蔽による効果と相反する運転効果を有する設備機器に対して運転出力を上げる操作がなされた場合、前記建物の利用者に予め定められた情報を通知する通知手段、として機能させる、
プログラム。
【発明の詳細な説明】
【技術分野】
【０００１】
本発明は、制御装置、制御システム、制御方法、及び、プログラムに関する。
【背景技術】
【０００２】
建物の内部に入る日射を遮蔽する遮蔽設備の状態は、建物の内部の温度や明るさに大きく影響を与える。このため、空調機器や照明機器を制御するときに、遮蔽設備を制御する技術が開発されている。例えば、特許文献１には、省エネを実現するために、空調機器と照明機器とに加え、ブラインドを制御する建物省エネルギー制御装置が開示されている。【０００３】
特許文献１に開示された建物省エネルギー制御装置は、空調機器の空調消費エネルギーと照明機器の照明制御エネルギーとの和が最小になるようにブラインドを制御する。このように、特許文献１に開示された建物省エネルギー制御装置は、省エネを最優先課題として、ブラインドを制御する。
【先行技術文献】
【特許文献】
【０００４】
【特許文献１】特開平０７−１２７８９７号公報
【発明の概要】
【発明が解決しようとする課題】
【０００５】
しかしながら、ブラインドの制御は、空調機器や照明機器におけるエネルギー消費に影響を与えるだけではなく、建物の利用者の快適性にも影響を与える可能性が高い。例えば、省エネのためのブラインドが閉状態に制御されると、利用者が建物の外の景色を眺めることができなくなり、利用者の快適性が損なわれる可能性がある。また、省エネのためにブラインドが自動で制御されると、利用者が、ブラインドが制御された理由が分からずに困惑し、結果として利用者の快適性が損なわれる可能性も考えられる。このため、遮蔽設備を用いて省エネと利用者の快適性とを両立することが可能な技術が望まれている。【０００６】
本発明は、上記問題に鑑みてなされたものであり、遮蔽設備を用いて省エネと利用者の快適性とを両立する制御装置、制御システム、制御方法、及び、プログラムを提供することを目的とする。
【課題を解決するための手段】
【０００７】
上記目的を達成するために、本発明に係る制御装置は、
建物の内部に入る日射を遮蔽する遮蔽設備を制御する設備制御手段と、
前記遮蔽設備により前記日射の少なくとも一部が遮蔽されているときに、前記日射の遮蔽による効果と相反する運転効果を有する設備機器に対して運転出力を上げる操作がなされた場合、前記建物の利用者に予め定められた情報を通知する通知手段と、を備える。
【発明の効果】
【０００８】
本発明では、建物の内部に入る日射を遮蔽する遮蔽設備により日射の少なくとも一部が遮蔽されているときに、日射の遮蔽による効果と相反する運転効果を有する設備機器に対して運転出力を上げる操作がなされた場合、建物の利用者に予め定められた情報が通知される。従って、本発明によれば、遮蔽設備を用いて省エネと利用者の快適性とを両立することができる。
【図面の簡単な説明】
【０００９】
【図１】本発明の実施形態１に係る制御システムの構成図
【図２】本発明の実施形態１に係る制御装置の構成図
【図３】電動ブラインドの構成図
【図４】本発明の実施形態１に係る制御装置の機能構成図
【図５】制御状態テーブルを示す図
【図６】通知情報テーブルを示す図
【図７】選択テーブルを示す図
【図８】本発明の実施形態１に係る制御装置が実行する自動制御処理を示すフローチャート
【図９】図８に示す通知処理を示すフローチャート
【図１０】本発明の実施形態１において表示される通知画面を示す図
【図１１】本発明の実施形態２に係る制御システムの構成図
【図１２】本発明の実施形態２に係る制御システムの機能構成図
【図１３】本発明の実施形態２に係る制御装置が実行する自動制御処理を示すフローチャート
【図１４】図１３に示す通知処理を示すフローチャート
【図１５】本発明の実施形態２において端末装置に表示される通知画面を示す図
【図１６】本発明の実施形態２において制御装置に表示される通知画面を示す図
【図１７】本発明の実施形態３において通知画面が表示回数に応じて変化する様子を示す図
【図１８】変形例において制御装置に表示される通知画面を示す図
【図１９】変形例において端末装置に表示される通知画面を示す図
【発明を実施するための形態】
【００１０】
（実施形態１）
まず、図１を参照して、本発明の実施形態１に係る制御システム１０００の構成について説明する。制御システム１０００は、制御装置１００が、電動ブラインド２００と空調機器３００と照明機器４００とを適切に制御して、省エネを実現するシステムである。
【００１１】
ここで、電動ブラインド２００と空調機器３００とを独立に制御すると、エネルギーの浪費に繋がることがある。例えば、電動ブラインド２００が全閉状態である時は、建物１０の内部に入る日射が遮蔽され、建物１０の内部の温度が上昇しにくい。このため、空調機器３００を暖房運転させるときに、電動ブラインド２００が全閉状態であると、消費エネルギーの割に暖房効果が上がりにくい。従って、省エネの観点からは、空調機器３００を暖房運転させるときは、電動ブラインド２００を全開状態にすることが好適である。
【００１２】
しかしながら、電動ブラインド２００を全開状態にすると、建物１０の利用者の快適性が損なわれる可能性がある。例えば、利用者が、建物１０の外部の様子を見たくないときや、建物１０の外部から覗かれたくない場合、電動ブラインド２００を全開状態にすることは好ましくない。従って、空調機器３００を暖房運転させるときに、利用者の承認を得ずに、電動ブラインド２００を全開状態にすることは好ましくない。そこで、本実施形態では、空調機器３００を暖房運転させるときに、電動ブラインド２００が全開状態でない場合、直ちに電動ブラインド２００を全開状態にするのではなく、利用者に何らかの通知をする。
【００１３】
なお、本実施形態では、詳細に説明しないが、照明機器４００についても、空調機器３００と同様のことが言える。つまり、電動ブラインド２００と照明機器４００とを独立に制御すると、エネルギーの浪費に繋がることがある。例えば、電動ブラインド２００が全閉状態である時は、建物１０の内部に入る日射が遮蔽され、建物１０の内部が明るくなりにくい。このため、照明機器４００を点灯させるときに、電動ブラインド２００が全閉状態であると、消費エネルギーの割に照明効果が得られにくい。従って、省エネの観点からは、照明機器４００を点灯させるときは、電動ブラインド２００を全開状態にすることが好適である。
【００１４】
しかしながら、電動ブラインド２００を全開状態にすると、建物１０の利用者の快適性が損なわれる可能性がある。従って、照明機器４００を点灯させるときに、利用者の承認を得ずに、電動ブラインド２００を全開状態にすることは好ましくない。そこで、照明機器４００を点灯させるときに、電動ブラインド２００が全開状態でない場合、直ちに電動ブラインド２００を全開状態にするのではなく、利用者に何らかの通知をすることが好適である。
【００１５】
なお、本実施形態では、以下のような状況を想定する。つまり、近年、ゼロエネルギーハウス実現に向けて、建物１０の高断熱化が進んでいる。そして、夏場には日射が遮蔽され、冬場には日射が建物１０の内部に入るように、電動ブラインド２００が制御される。ここで、建物１０の高断熱化により、冬場においても、電動ブラインド２００が全開状態にされると、建物１０の内部が暑くなりすぎることがある。従って、冬場においても、電動ブラインド２００が全開状態にされないことがある。ここで、利用者によっては、寒いと感じて、空調機器３００を暖房運転させることがある。この場合、暖房運転に代えて、又は、暖房運転とともに、電動ブラインド２００が全開状態にすることを促すメッセージを利用者に通知する。なお、空調ではなく照明に関しても、同様のことが言える。つまり、日射が入り過ぎて眩しくなることを防止するために日射を遮蔽する制御が実行されている場合に、居住者が暗いと感じて照明機器４００を点灯させる場合が想定される。図１の説明に戻る。
【００１６】
建物１０は、壁２１が備える開孔部２３に設けられた窓２２を覆うように電動ブラインド２００が設けられた建物である。従って、電動ブラインド２００の状態を制御することにより、建物１０の内部に入る日射の量を調整することができる。建物１０は、利用者が居住する住宅であってもよいし、利用者が勤務するビルや工場であってもよい。
【００１７】
商用電源２０は、電力会社が需要地に電力を供給する電源である。商用電源２０により供給される電力は、交流電力である。商用電源２０は、需要地に１００Ｖ又は２００Ｖの電圧を有する交流電力を供給する。発電パネル３０は、太陽光のエネルギーを電気エネルギーに変換する。発電パネル３０は、発電により得られた直流電力を、パワーコンディショナ４０に供給する。パワーコンディショナ４０は、ＤＣ／ＡＣ変換等の処理を実行する。パワーコンディショナ４０は、発電パネル３０から供給された直流電力を交流電力に変換し、分電盤５０に供給する。分電盤５０は、商用電源２０、パワーコンディショナ４０などから供給された交流電力を、制御装置１００と電動ブラインド２００と空調機器３００と照明機器４００と電力計測装置５００とに分配するための配線基板（図示せず）やブレーカ（図示せず）を収納するケースである。
【００１８】
制御装置１００は、制御システム１０００の中核をなす装置である。制御装置１００は、電力計測装置５００から供給された電力情報に基づいて、電動ブラインド２００と空調機器３００と照明機器４００とを制御する。制御装置１００は、例えば、ＨＥＭＳ（Home Energy Management System）におけるＨＥＭＳコントローラ、或いは、ＢＥＭＳ（Building Energy Management System）におけるＢＥＭＳコントローラである。以下、図２を参照して、制御装置１００の構成について説明する。
【００１９】
図２に示すように、制御装置１００は、ＣＰＵ（Central Processing Unit）１１、ＲＯＭ（Read Only Memory）１２、ＲＡＭ（Random Access Memory）１３、フラッシュメモリ１４、ＲＴＣ（Real Time Clock）１５、タッチスクリーン１６、宅内通信インターフェース１７、宅外通信インターフェース１８を備える。制御装置１００が備える各構成要素は、バスを介して相互に接続される。
【００２０】
ＣＰＵ１１は、制御装置１００の全体の動作を制御する。なお、ＣＰＵ１１は、ＲＯＭ１２に格納されているプログラムに従って動作し、ＲＡＭ１３をワークエリアとして使用する。ＲＯＭ１２には、制御装置１００の全体の動作を制御するためのプログラムやデータが記憶される。ＲＡＭ１３は、ＣＰＵ１１のワークエリアとして機能する。つまり、ＣＰＵ１１は、ＲＡＭ１３にプログラムやデータを一時的に書き込み、これらのプログラムやデータを適宜参照する。
【００２１】
フラッシュメモリ１４は、各種の情報を記憶する不揮発性メモリである。ＲＴＣ１５は、計時用のデバイスである。ＲＴＣ１５は、例えば、電池を内蔵し、制御装置１００の電源がオフの間も計時を継続する。ＲＴＣ１５は、例えば、水晶発振子を備える発振回路を備える。
【００２２】
タッチスクリーン１６は、ユーザによりなされたタッチ操作を検知し、検知の結果を示す信号をＣＰＵ１１に供給する。また、タッチスクリーン１６は、ＣＰＵ１１などから供給された画像信号に基づく画像を表示する。このように、タッチスクリーン１６は、制御装置１００のユーザインターフェースとして機能する。
【００２３】
宅内通信インターフェース１７は、制御装置１００を、宅内ネットワーク６００に接続するためのインターフェースである。制御装置１００は、宅内ネットワーク６００を介して宅内ネットワーク６００に接続された各種の装置と通信することが可能である。宅内通信インターフェース１７は、例えば、ＮＩＣ（Network Interface Card）などのＬＡＮ（Local Area Network）インターフェースを備える。
【００２４】
宅外通信インターフェース１８は、制御装置１００を、宅外ネットワーク６１０に接続するためのインターフェースである。制御装置１００は、宅外ネットワーク６１０を介して宅外ネットワーク６１０に接続された各種の装置と通信することが可能である。宅外通信インターフェース１８は、例えば、ＮＩＣなどのＬＡＮインターフェースを備える。
【００２５】
電動ブラインド２００は、建物１０の内部に入る日射の量を制御する遮蔽設備である。電動ブラインド２００は、分電盤５０を介して供給された交流電力により動作し、制御装置１００による制御に従って遮蔽状態が変化する。なお、本発明において、遮蔽設備として、シャッター、オーニング、ロールカーテン、レースカーテンなどの遮蔽機能を有する設備を電動化したものを採用することができる。遮蔽設備は、本実施形態のように鉛直方向に開閉するものでもよいし、水平方向に開閉するものでもよい。以下、図３を参照して、電動ブラインド２００の構成について説明する。
【００２６】
図３に示すように、電動ブラインド２００は、窓２２を覆うように、建物１０の外部に設置される。なお、窓２２は、建物１０が備える壁２１に設けられた開孔部２３に設けられる。電動ブラインド２００は、収納部２１０とガイド部２２０とを備える。収納部２１０には、制御部２１１と通信部２１２と駆動部２１３とが収納される。また、収納部２１０には、複数のスラット（ルーバー）２２１が収納される。制御部２１１は、制御装置１００による制御に従って、電動ブラインド２００の状態を制御する。通信部２１２は、宅内ネットワーク６００に接続する機能を有し、宅内ネットワーク６００を介して制御装置１００と通信する。駆動部２１３は、制御部２１１による制御に従って駆動し、スラット２２１の収納状態やスラット２２１の角度（以下、適宜、「スラット角」という。）を調整する。
【００２７】
ガイド部２２０は、重り２２６が鉛直方向に沿って移動するように、重り２２６をガイドする。収納部２１０と重り２２６とは、糸２２２と糸２２３と糸２２４とにより接続される。重り２２６は、基本的に、糸２２２により収納部２１０に吊される。糸２２２は、複数のスラット２２１が有する開孔部（図示せず）を貫通して、収納部２１０と重り２２６とを接続する。糸２２２の鉛直方向における位置（重り２２６の鉛直方向における位置）を調整することにより、電動ブラインド２００の開閉状態を調整することができる。糸２２２の鉛直方向における位置は、例えば、駆動部２１３により調整される。糸２２３の鉛直方向における位置と糸２２４の鉛直方向における位置とは、例えば、駆動部２１３により調整される。スラット角は、糸２２３の鉛直方向における位置と糸２２４の鉛直方向における位置との位置関係により調整することが可能である。糸２２３と糸２２４とは、複数の糸２２５により接続される。複数の糸２２５の本数は、基本的に、複数のスラット２２１の個数と同じである。糸２２５は、スラット２２１を下方から支え、スラット角を調整する役割を果たす。
【００２８】
本実施形態では、電動ブラインド２００の制御状態は、開閉状態とスラット角とにより定義されるものとする。開閉状態は、重り２２６の鉛直方向における位置により定義される。例えば、窓２２の鉛直方向における長さをＷｈ１とし、窓２２の上端の鉛直方向における位置と重り２２６の鉛直方向における位置との差をＷｈ２とする。Ｗｈ２が０であるときに、開閉状態が全開状態となる。また、Ｗｈ２がＷｈ１の１／２であるときに、開閉状態が半開状態となる。また、Ｗｈ２がＷｈ１と同じであるときに、開閉状態が全閉状態となる。また、スラット角は、スラット２２１と鉛直方向とのなす角度である。スラット２２１と鉛直方向とが平行であるときに、スラット角が０度となる。なお、本実施形態では、スラット２２１の内側（窓２２側）の端部の位置が最も高くなるときに、スラット角が０度となるものとする。そして、スラット２２１の内側（窓２２側）の端部が時計回りに回ると、スラット角が増加するものとする。そして、スラット２２１の内側（窓２２側）の端部の位置が最も低くなるときに、スラット角が１８０度となるものとする。図３において、スラット角はＳｄにより示される。
【００２９】
空調機器３００は、建物１０の内部の空気を調整する機器である。空気を調整するとは、例えば、温度を調整したり、湿度を調整したり、送風したり、不純物を除去したりすることである。空調機器３００は、宅内ネットワーク６００を介して、制御装置１００により制御及び監視される。空調機器３００は、例えば、１つの室外機（図示せず）と１つ以上の室内機（図示せず）とを備える。
【００３０】
照明機器４００は、建物１０の内部を照明する機器である。照明機器４００は、調光機能を有するものとする。照明機器４００は、宅内ネットワーク６００を介して、制御装置１００により制御及び監視される。
【００３１】
電力計測装置５００は、電力線（図示せず）に流れる電流の値と電力線間の電圧の値とを計測し、この電力線を介して供給される電力の値を計測する。また、電力計測装置５００は、計測された電力の値に基づいて、単位期間（例えば、１分間）における電力量、基準時刻からの累積電力量などを算出する。電力計測装置５００は、商用電源２０から分電盤５０に供給された電力（又は、パワーコンディショナ４０又は分電盤５０から商用電源２０に供給された電力）と、パワーコンディショナ４０から商用電源２０又は分電盤５０に供給された電力と、商用電源２０又はパワーコンディショナ４０から分電盤５０に供給された電力と、を計測する。電力計測装置５００は、計測や算出により取得された物理量を示す情報を電力情報として記憶する。電力計測装置５００は、記憶された電力情報を、適宜、宅内ネットワーク６００を介して、制御装置１００に送信する。電力計測装置５００は、電流検出センサ、電圧検出センサ、フラッシュメモリ、通信インターフェースなどを備える。
【００３２】
宅内ネットワーク６００は、宅内に構築される無線ＬＡＮなどのネットワークであり、宅内ネットワーク６００に接続された機器同士が相互に通信するためのネットワークである。宅内ネットワーク６００は、例えば、ＥＣＨＯＮＥＴ  Ｌｉｔｅなどのサブネットワークである。
【００３３】
次に、図４を参照して、制御装置１００の基本的な機能について説明する。制御装置１００は、機能的には、設備制御部１０１、通知部１０２、許可受付部１０３、操作受付部１０４、機器制御部１０５、記憶部１０６、日射予測部１０７、を備える。
【００３４】
設備制御部１０１は、建物１０の内部に入る日射を遮蔽する遮蔽設備を制御する。遮蔽設備は、例えば、電動ブラインド２００である。設備制御部１０１の機能は、例えば、ＣＰＵ１１と宅内通信インターフェース１７とが協働することにより実現される。
【００３５】
通知部１０２は、遮蔽設備により日射の少なくとも一部が遮蔽されているときに、日射の遮蔽による効果と相反する運転効果を有する設備機器に対して運転出力を上げる操作がなされた場合、建物１０の利用者に予め定められた情報を通知する。遮蔽設備により日射の少なくとも一部が遮蔽されているときとは、遮蔽設備の制御により建物１０の内部に入る日射を増やす余地があるときである。日射の遮蔽による効果と相反する運転効果は、例えば、暖房効果や照明効果である。運転出力を上げる操作は、例えば、暖房をオンする操作、暖房の設定温度を上げる操作、照明をオンする操作、照明の明るさを上げる操作である。
【００３６】
建物１０の利用者に通知することは、例えば、利用者が見ることができる表示装置（例えば、制御装置１００）に、情報を表示することである。建物１０の利用者に通知される情報としては、種々の情報が考えられる。建物１０の利用者に通知される情報としては、例えば、遮蔽設備に対する操作を促す情報、遮蔽設備に対する制御の許可を求める情報、遮蔽設備を制御することを通知する情報である。通知部１０２の機能は、例えば、ＣＰＵ１１とタッチスクリーン１６とが協働することにより実現される。
【００３７】
通知部１０２は、日射の少なくとも一部が遮蔽されているときに上述した操作がなされた場合、日射の遮蔽量を減らすことの許可を求める情報を利用者に通知することができる。
【００３８】
許可受付部１０３は、利用者から上述した許可を受け付ける。利用者から許可を受け付けることは、利用者が操作可能な装置（例えば、制御装置１００）が利用者から操作を受け付けることである。許可受付部１０３の機能は、例えば、タッチスクリーン１６の機能により実現される。
【００３９】
設備制御部１０１は、許可受付部１０３により許可が受け付けられた場合、遮蔽設備の制御により日射の遮蔽量を減らす。このように、利用者が許容する場合、省エネの観点から遮蔽設備を制御する。一方、設備制御部１０１は、上述した許可が受け付けられない場合、遮蔽設備を制御しない。このように、利用者が許容しない場合、利用者の快適性を考慮して、遮蔽設備を制御しない。
【００４０】
操作受付部１０４は、設備機器に対する操作を受け付ける。設備機器は、例えば、空調機器３００や照明機器４００である。操作受付部１０４の機能は、例えば、タッチスクリーン１６の機能により実現される。
【００４１】
機器制御部１０５は、操作受付部１０４により受け付けられた操作に基づいて設備機器を制御する。機器制御部１０５の機能は、例えば、ＣＰＵ１１と宅内通信インターフェース１７とが協働することにより実現される。
【００４２】
機器制御部１０５は、許可受付部１０３により許可が受け付けられた場合、操作受付部１０４により受け付けられた操作に基づいて設備機器を制御しなくてもよい。例えば、遮蔽設備により日射を減らすことで設備機器を制御する必要性が低下する場合、設備機器を制御しない。具体的には、日射量を増やすことで建物１０の内部の温度の上昇が見込める場合、暖房を指示する操作があっても空調機器３００に暖房運転をさせない。一方、機器制御部１０５は、許可受付部１０３により許可が受け付けられない場合、操作受付部１０４により受け付けられた操作に基づいて設備機器を制御することが好適である。
【００４３】
記憶部１０６は、各種の情報を記憶する。例えば、記憶部１０６は、制御状態テーブル、通知情報テーブル、選択テーブルを記憶する。記憶部１０６の機能は、例えば、フラッシュメモリ１４の機能により実現される。
【００４４】
日射予測部１０７は、建物１０の内部に入る日射の量を予測する。日射予測部１０７は、発電パネル３０による発電量を電力計測装置５００から取得し、取得した発電量に基づいて、日射量を予測することができる。例えば、日射予測部１０７は、発電パネル３０による発電量を予め定められた閾値で分類することにより天気（快晴、晴れ、曇り、雨）を予測し、天気の予測結果と日時とから日射量を予測することができる。なお、設備制御部１０１は、日射予測部１０７により予測された日射量と、温度計（図示せず）から取得される気温と、に基づいて、後述する遮蔽レベルを決定することができる。或いは、設備制御部１０１は、後述する選択テーブルを用いて、予測された天気と、日時と、気温と、に基づいて、遮蔽レベルを決定することができる。日射予測部１０７の機能は、例えば、ＣＰＵ１１がＲＯＭ１２やフラッシュメモリ１４に記憶されたプログラムを実行することにより実現される。
【００４５】
次に、図５を参照して、制御状態テーブルについて説明する。制御状態テーブルは、電動ブラインド２００の制御状態を定義する情報である。制御状態テーブルは、例えば、遮蔽レベルと開閉状態とスラット角とを対応付ける情報である。遮蔽レベルは、電動ブラインド２００の遮蔽レベル、つまり、電動ブラインド２００の制御状態を示す数値である。開閉状態は、電動ブラインド２００がどの程度開いた状態であるか、又は、電動ブラインド２００がどの程度閉じた状態であるのかを示す。スラット角は、電動ブラインド２００が備えるスラット２２１のスラット角である。
【００４６】
本実施形態では、電動ブラインド２００は、遮蔽レベルが１である制御状態と、遮蔽レベルが２である制御状態と、遮蔽レベルが３である制御状態と、遮蔽レベルが４である制御状態と、の４つの制御状態を取り得るものとする。遮蔽レベルが１である制御状態は、開閉状態が全開であり、日射を全て通過させる制御状態である。遮蔽レベルが２である制御状態は、開閉状態が半開であり、スラット角が１２０度であり、閉じた部分のスラット２２１が日射をほぼ通過させる制御状態である。遮蔽レベルが３である制御状態は、開閉状態が全閉であり、スラット角が９０度（スラット２２１が水平）であり、スラット２２１が日射をある程度通過させる制御状態である。遮蔽レベルが４である制御状態は、開閉状態が全閉であり、スラット角が０度（スラット２２１が水平方向に対して直交）であり、日射を全て遮蔽する制御状態である。本実施形態では、遮蔽レベルが小さい程、遮蔽量が少なく、日射量が多いものとする。
【００４７】
次に、図６を参照して、通知情報テーブルについて説明する。通知情報テーブルは、情報を通知する条件（以下、適宜「通知条件」という。）と通知する情報との対応関係を定義するテーブルである。通知情報テーブルは、例えば、ブラインド番号と、遮蔽レベルと、空調機器番号と、操作内容と、通知情報と、を対応付ける情報である。ブラインド番号は、電動ブラインド２００を識別するための番号である。遮蔽レベルは、電動ブラインド２００の制御状態に対応し、情報を通知する条件となる遮蔽レベルである。空調機器番号は、空調機器３００の識別番号である。操作内容は、空調機器３００に対する操作の内容である。通知情報は、通知条件が揃った場合に利用者に通知される内容を示す情報、又は、この内容を示す情報が記憶されたアドレスを示す情報である。
【００４８】
例えば、図６に示す通知情報テーブルの一番上のレコードは、ブラインド番号が１である電動ブラインド２００の遮蔽レベルが３以上であり、空調機器番号が２である空調機器３００に対して暖房をオンする操作がなされた場合に、ａ１により示される通知情報が利用者に通知されることを意味する。なお、理解を容易にするため、図１では、電動ブラインド２００と空調機器３００とを１つのみ示しているが、電動ブラインド２００は２つ以上であり、空調機器３００は３つ以上であるものとする。また、例えば、同じレコードにより示される電動ブラインド２００及び空調機器３００は、同じ部屋に設置されているものとする。
【００４９】
次に、図７を参照して、選択テーブルについて説明する。選択テーブルは、日時や天気毎に採用する遮蔽レベルを示すテーブルである。選択テーブルは、例えば、日付と、時間帯と、気温と、天気と、遮蔽レベルとを対応付ける情報である。選択テーブルは、自動制御において採用される遮蔽レベルのスケジュールを定義する制御スケジュールとしても利用可能である。図７に示す選択テーブルは、冬季であっても外気温が高い日は、室温上昇が抑制されるように遮蔽レベルが設定されることを示している。また、図７に示す選択テーブルは、雨の日は、遮蔽レベルが高く設定されることを示している。例えば、図７に示す選択テーブルの一番上のレコードは、日付が１月１日であり、時間帯が０７：００−１１：００であり、気温が１５度以上である場合、天気が快晴のときに遮蔽レベルが３に設定され、天気が晴れのときに遮蔽レベルが１に設定され、天気が曇りのときに遮蔽レベルが１に設定され、天気が雨のときに遮蔽レベルが４に設定される例を示している。複数の電動ブラインド２００が存在する場合、選択テーブルは、電動ブラインド２００毎に用意される。なお、選択テーブルにおいて、気温が考慮されていなくてもよい。この場合、日時と天気とにより遮蔽レベルが決定される。
【００５０】
次に、図８のフローチャートを参照して、制御装置１００が実行する自動制御処理について説明する。この自動制御処理は、基本的に、電動ブラインド２００に関する処理であり、空調機器３００や照明機器４００に関する処理ではない。なお、自動制御処理は、例えば、タッチスクリーン１６に自動制御処理の開始を指示する操作がなされた場合に開始される。
【００５１】
まず、ＣＰＵ１１は、通知処理を実行する（ステップＳ１０１）。通知処理については、図９のフローチャートを参照して、詳細に説明する。
【００５２】
まず、ＣＰＵ１１は、空調機器３００に対する操作があるか否かを判別する（ステップＳ２０１）。ＣＰＵ１１は、空調機器３００に対する操作がないと判別すると（ステップＳ２０１：ＮＯ）、通知処理を完了する。一方、ＣＰＵ１１は、空調機器３００に対する操作があると判別すると（ステップＳ２０１：ＹＥＳ）、通知条件が成立するか否かを判別する（ステップＳ２０２）。例えば、ＣＰＵ１１は、図６に示す通知情報テーブルのいずれかのレコードに該当する状況であるか否かを判別する。
【００５３】
ＣＰＵ１１は、通知条件が成立しないと判別すると（ステップＳ２０２：ＮＯ）、通知処理を完了する。一方、ＣＰＵ１１は、通知条件が成立すると判別すると（ステップＳ２０２：ＹＥＳ）、通知情報テーブルを参照して、通知情報を生成する（ステップＳ２０３）。ＣＰＵ１１は、ステップＳ２０３の処理を完了すると、通知を実行する（ステップＳ２０４）。例えば、ＣＰＵ１１は、タッチスクリーン１６に通知情報を含む画面を提示する。
【００５４】
図１０に、制御装置１００のタッチスクリーン１６に表示される画面６０を示す。画面６０は、ドロップダウンリスト６１と、スライドボタン６２と、通知情報６３と、ボタン６４と、ボタン６５とを含む。ドロップダウンリスト６１は、空調機器３００に対する操作を選択するためのボタンである。スライドボタン６２は、暖房運転のオン・オフを切り替えるためのボタンである。通知情報６３は、電動ブラインド２００を制御することの許可を求める情報である。ボタン６４は、電動ブラインド２００を制御することを許可する操作を受け付けるボタンである。ボタン６５は、電動ブラインド２００を制御することを許可しない操作を受け付けるボタンである。このように、画面６０は、通知情報６３を表示するだけでなく、電動ブラインド２００や空調機器３００に対する操作を受け付ける画面である。
【００５５】
なお、通知情報６３は、例えば、「暖房をつける前に、ブラインドを開けてみませんか？」という通知情報であってもよい。また、画面６０に、ボタン６４やボタン６５がなくてもよい。この場合、通知情報６３は、例えば、「一緒にブラインドを開けると暖房効果が高まります。」、「日射があるようですので、暖房をつけないでブラインドを開けると暖かくなりそうです。」という通知情報であってもよい。
【００５６】
また、設備機器が、空調機器３００ではなく照明機器４００である場合、通知情報６３は、例えば、「暗いですか？よろしかったら照明を消して、ブラインドを開けましょうか？」、「照明をつける前に、ブラインドを開けてみませんか？」という通知情報であってもよい。また、画面６０に、ボタン６４やボタン６５がない場合、通知情報６３は、例えば、「照明をつける代わりに、ブラインドを開ければ明るくなります。」という通知情報であってもよい。
【００５７】
ＣＰＵ１１は、ステップＳ２０４の処理を完了すると、電動ブラインド２００に対する操作があるか否かを判別する（ステップＳ２０５）。ＣＰＵ１１は、電動ブラインド２００に対する操作がないと判別すると（ステップＳ２０５：ＮＯ）、通知処理を完了する。なお、ボタン６５に対する押圧操作がある場合に、電動ブラインド２００に対する操作がないと判別されてもよい。一方、ＣＰＵ１１は、電動ブラインド２００に対する操作があると判別すると（ステップＳ２０５：ＹＥＳ）、電動ブラインド２００を操作に応じた状態に制御する（ステップＳ２０６）。なお、ボタン６４に対する押圧操作がある場合、又は、電動ブラインド２００を操作するための専用リモコン（図示せず）に対する操作がなされた場合、電動ブラインド２００に対する操作があると判別されてもよい。ＣＰＵ１１は、ステップＳ２０６の処理を完了すると、通知処理を完了する。
【００５８】
ＣＰＵ１１は、ステップＳ１０１の処理が完了すると、自動制御の解除条件が成立したか否かを判別する（ステップＳ１０２）。例えば、ＣＰＵ１１は、電動ブラインド２００を制御するための操作があったことを検知した場合、或いは、自動制御の終了を指示する操作を検知した場合、自動制御の解除条件が成立したと判別する。ＣＰＵ１１は、自動制御の解除条件が成立したと判別すると（ステップＳ１０２：ＹＥＳ）、電動ブラインド２００を規定の状態に制御する（ステップＳ１０３）。規定の状態は、現在の遮蔽レベルを維持するものでもよいし、現在の遮蔽レベルを予め定められた遮蔽レベル（遮蔽レベル１又は遮蔽レベル４）に変更するものでもよい。規定の状態は、例えば、成立した解除条件毎に定義される。ＣＰＵ１１は、ステップＳ１０３の処理が完了すると、自動制御処理を完了する。
【００５９】
一方、ＣＰＵ１１は、自動制御の解除条件が成立しないと判別すると（ステップＳ１０２：ＮＯ）、制御周期が到来したか否かを判別する（ステップＳ１０４）。ＣＰＵ１１は、制御周期が到来していないと判別すると（ステップＳ１０４：ＮＯ）、ステップＳ１０１に処理を戻す。一方、ＣＰＵ１１は、制御周期が到来したと判別すると（ステップＳ１０４：ＹＥＳ）、制御条件を取得する（ステップＳ１０５）。制御条件を取得することは、例えば、図７に示す選択テーブルを取得することである。
【００６０】
ＣＰＵ１１は、ステップＳ１０５の処理を完了すると、発電量データを取得する（ステップＳ１０６）。ＣＰＵ１１は、ステップＳ１０６の処理を完了すると、天気を推定する（ステップＳ１０７）。例えば、ＣＰＵ１１は、発電量データから天気を推定する。ＣＰＵ１１は、ステップＳ１０７の処理を完了すると、制御する状態を選択する（ステップＳ１０８）。例えば、ＣＰＵ１１は、取得された選択テーブルと推定された天気と日時とから、制御する状態、つまり、遮蔽レベルを選択する。なお、ＣＰＵ１１は、ＲＴＣ１５から供給される情報に基づいて、日時を特定することができる。ＣＰＵ１１は、ステップＳ１０８の処理を完了すると、電動ブラインド２００を選択された状態に制御する（ステップＳ１０９）。ＣＰＵ１１は、ステップＳ１０９の処理を完了すると、ステップＳ１０１に処理を戻す。
【００６１】
本実施形態では、遮蔽レベルを下げる余地がある状態において、日射の遮蔽による効果と相反する運転効果を生じさせるための操作がなされた場合、利用者に、省エネの観点から好ましくない操作がなされたことが通知される。このため、本実施形態では、利用者は、省エネの観点と快適性の観点との方法から、遮蔽設備又は設備機器に対する制御を決定することができる。従って、本実施形態によれば、遮蔽設備を用いて省エネと利用者の快適性とを両立することが期待できる。
【００６２】
（実施形態２）
実施形態１では、基本的に、制御装置１００が単体で自動制御処理を実行する例について説明した。本発明において、制御装置１００が、クラウドサーバ７１０、端末装置７２０、気象予報サーバ７３０と連係して、自動制御処理を実行してもよい。また、制御モードが通常モードである場合と、制御モードが留守番モードである場合とで、利用者に通知される情報や制御内容が異なっていてもよい。また、本実施形態では、制御装置１００が表示する画面を視認可能な子供と、端末装置７２０が表示する画面を視認可能な母親と、の２人が利用者であるものとする。以下、本実施形態について説明する。
【００６３】
図１１に示すように、制御システム１１００は、クラウドサーバ７１０と端末装置７２０と気象予報サーバ７３０とが宅外ネットワーク６１０を介して制御装置１００と接続される点において、制御システム１０００と異なる。以下、実施形態１と異なる部分を中心に説明する。
【００６４】
宅外ネットワーク６１０は、宅外に構築されるＷＡＮ（Wide Area Network）などのネットワークであり、宅外ネットワーク６１０に接続された機器同士が相互に通信するためのネットワークである。なお、宅内ネットワーク６００と宅外ネットワーク６１０は、制御装置１００を介して相互に接続される。従って、制御装置１００は、ゲートウェイ装置としての機能も有する。宅外ネットワーク６１０は、例えば、インターネットである。
【００６５】
クラウドサーバ７１０は、クラウドコンピューティングにおけるリソースを提供するサーバである。クラウドサーバ７１０は、例えば、クラウドサーバ７１０全体の動作を制御するプロセッサ７１１と、宅外ネットワーク６１０に接続するための通信インターフェース７１２と、各種の情報を記憶するハードディスク７１３と、を備える。クラウドサーバ７１０は、制御装置１００からの要求に応答して、ハードディスク７１３に記憶されている情報を制御装置１００に供給する。また、クラウドサーバ７１０は、制御装置１００からの要求に応答して、要求された処理を実行し、処理結果を示す情報を制御装置１００に送信する。クラウドサーバ７１０は、制御装置１００と端末装置７２０との通信を中継し、制御装置１００と気象予報サーバ７３０との通信を中継してもよい。
【００６６】
端末装置７２０は、宅外ネットワーク６１０を介して、制御装置１００と通信する装置である。端末装置７２０は、例えば、制御装置１００のユーザインターフェースとして機能する。端末装置７２０は、例えば、端末装置７２０全体の動作を制御するプロセッサ７２１と、宅外ネットワーク６１０に接続するための通信インターフェース７２２と、各種の情報を記憶するフラッシュメモリ７２３と、画面を提示するタッチスクリーン７２４と、を備える。端末装置７２０は、クラウドサーバ７１０を介して、制御装置１００と接続されてもよい。端末装置７２０は、例えば、パーソナルコンピュータ、スマートフォン、携帯電話、タブレット端末などである。
【００６７】
気象予報サーバ７３０は、気象予報サービスを提供するサーバである。気象予報サーバ７３０は、全体の動作を制御するプロセッサ（図示せず）と、宅外ネットワーク６１０に接続するための通信インターフェース（図示せず）と、各種の情報を記憶するハードディスク（図示せず）と、を備える。気象予報サーバ７３０は、制御装置１００からの要求に応答して、ハードディスクに記憶されている気象情報を制御装置１００に供給する。気象予報サーバ７３０は、クラウドサーバ７１０を介して、制御装置１００と接続されてもよい。
【００６８】
次に、図１２を参照して、制御システム１１００の基本的な機能について説明する。制御システム１１００は、機能的には、設備制御部１０１、通知部１０２、許可受付部１０３、操作受付部１０４、機器制御部１０５、記憶部１０６、日射予測部１０７、スケジュール生成部１０８、を備える。設備制御部１０１、通知部１０２、許可受付部１０３、操作受付部１０４、機器制御部１０５、記憶部１０６、日射予測部１０７は、機能的には、実施形態１と同様であるが、対応する物理的な構成が異なるものがある。
【００６９】
設備制御部１０１の機能は、例えば、ＣＰＵ１１と宅内通信インターフェース１７とが協働することにより実現される。通知部１０２の機能は、例えば、ＣＰＵ１１とタッチスクリーン１６とが協働することにより実現されてもよいし、ＣＰＵ１１と宅外通信インターフェース１８とプロセッサ７２１と通信インターフェース７２２とタッチスクリーン７２４とが協働することにより実現されてもよい。
【００７０】
許可受付部１０３の機能は、例えば、タッチスクリーン１６の機能により実現されてもよいし、宅外通信インターフェース１８とプロセッサ７２１と通信インターフェース７２２とタッチスクリーン７２４とが協働することにより実現されてもよい。操作受付部１０４の機能は、例えば、タッチスクリーン１６の機能により実現されてもよいし、宅外通信インターフェース１８とプロセッサ７２１と通信インターフェース７２２とタッチスクリーン７２４とが協働することにより実現されてもよい。
【００７１】
機器制御部１０５の機能は、例えば、ＣＰＵ１１と宅内通信インターフェース１７とが協働することにより実現される。記憶部１０６の機能は、例えば、フラッシュメモリ１４の機能、ハードディスク７１３の機能、フラッシュメモリ７２３の機能により実現される。日射予測部１０７の機能は、例えば、ＣＰＵ１１がＲＯＭ１２やフラッシュメモリ１４に記憶されたプログラムを実行することにより実現されてもよいし、プロセッサ７２１がハードディスク７１３に記憶されたプログラムを実行することにより実現されてもよい。日射予測部１０７は、気象予報サーバ７３０から取得される気象情報や電力計測装置５００から取得される電力情報に基づいて、日射量、天気、気温などを予測することができる。
【００７２】
スケジュール生成部１０８は、自動制御処理で用いられる遮蔽レベルの切替スケジュール（以下、「制御スケジュール」という。）を生成する。例えば、スケジュール生成部１０８は、日射予測部１０７により予測された天気や気温と、記憶部１０６に記憶された選択テーブルとに基づいて、制御スケジュールを生成する。具体的には、スケジュール生成部１０８は、選択テーブルにおいて、気温と天気とを当てはめて、日付と時間帯と遮蔽レベルとを対応付けたスケジュール情報を生成する。また、スケジュール生成部１０８は、シミュレータでシミュレートすることにより制御スケジュールを生成してもよい。
【００７３】
次に、図１３のフローチャートを参照して、制御装置１００が実行する自動制御処理について説明する。この自動制御処理は、基本的に、電動ブラインド２００に関する処理であり、空調機器３００や照明機器４００に関する処理ではない。なお、自動制御処理は、例えば、タッチスクリーン１６やタッチスクリーン７２４に自動制御処理の開始を指示する操作がなされた場合に開始される。
【００７４】
まず、ＣＰＵ１１は、制御条件を取得する（ステップＳ３０１）。ＣＰＵ１１は、ステップＳ３０１の処理を完了すると、天気予報データを取得する（ステップＳ３０２）。ＣＰＵ１１は、ステップＳ３０２の処理を完了すると、発電量データを取得する（ステップＳ３０３）。ＣＰＵ１１は、ステップＳ３０３の処理を完了すると、スケジュール情報を生成する（ステップＳ３０４）。なお、ステップＳ３０１からステップＳ３０４の処理は、制御装置１００（ＣＰＵ１１）が実行してもよいし、クラウドサーバ７１０（プロセッサ７１１）が実行してもよいし、制御装置１００（ＣＰＵ１１）とクラウドサーバ７１０（プロセッサ７１１）とが協働して実行してもよい。
【００７５】
ＣＰＵ１１は、ステップＳ３０４の処理を完了すると、通知処理を実行する（ステップＳ３０５）。以下、図１４に示すフローチャートを参照して、通知処理について説明する。
【００７６】
まず、ＣＰＵ１１は、空調機器３００に対する操作があるか否かを判別する（ステップＳ４０１）。ＣＰＵ１１は、空調機器３００に対する操作がないと判別すると（ステップＳ４０１：ＮＯ）、通知処理を完了する。一方、ＣＰＵ１１は、空調機器３００に対する操作があると判別すると（ステップＳ４０１：ＹＥＳ）、通知条件が成立するか否かを判別する（ステップＳ４０２）。
【００７７】
ＣＰＵ１１は、通知条件が成立しないと判別すると（ステップＳ４０２：ＮＯ）、通知処理を完了する。一方、ＣＰＵ１１は、通知条件が成立すると判別すると（ステップＳ４０２：ＹＥＳ）、制御モードが留守番モードであるか否かを判別する（ステップＳ４０３）。ＣＰＵ１１は、制御モードが留守番モードでないと判別すると（ステップＳ４０３：ＮＯ）、在宅モード用の通知情報を生成する（ステップＳ４０４）。在宅モード用の通知情報は、例えば、図１０に示される画面６０により通知される情報である。ただし、ここでは、通知情報６３は、電動ブラインド２００の操作を促す情報であり、ボタン６４やボタン６５が表示されないものとする。
【００７８】
一方、ＣＰＵ１１は、制御モードが留守番モードであると判別すると（ステップＳ４０３：ＹＥＳ）、留守番モード用の通知情報を生成する（ステップＳ４０５）。なお、留守番モード用の通知情報は、制御装置１００により利用者（例えば、子供）に通知される情報と、端末装置７２０により利用者（例えば、母親）に通知される情報と、を含む。ＣＰＵ１１は、ステップＳ４０５の処理を完了すると、電動ブラインド２００に対する制御を実行する（ステップＳ４０６）。なお、留守番モードでは、省エネを考慮して電動ブラインド２００を制御しても、利用者が建物１０の内部にいないため、利用者の快適性が損なわれる可能性が低いと考えられる。
【００７９】
ＣＰＵ１１は、ステップＳ４０６の処理を完了すると、端末装置７２０に通知情報を送信する（ステップＳ４０７）。一方、端末装置７２０が備えるプロセッサ７２１は、端末装置７２０が備えるタッチスクリーン７２４に通知情報を表示する。この通知情報は、例えば、図１５に示す画面７０により通知される。画面７０は、通知情報７１を含む。通知情報７１は、電動ブラインド２００に対して省エネのための制御を実行済みであることを通知する情報である。
【００８０】
ＣＰＵ１１は、ステップＳ４０４の処理又はステップＳ４０７の処理を完了すると、通知を実行する（ステップＳ４０８）。例えば、ＣＰＵ１１は、タッチスクリーン１６に通知情報を含む画面を提示する。この通知情報は、例えば、図１６に示す画面６６により通知される。画面６６は、ドロップダウンリスト６１と、スライドボタン６２と、通知情報６７と、を含む。通知情報６７は、電動ブラインド２００に対して省エネのための制御を実行済みであることを通知する情報である。ＣＰＵ１１は、ステップＳ４０８の処理を完了すると、通知処理を完了する。
【００８１】
ＣＰＵ１１は、ステップＳ３０５の処理を完了すると、自動制御の解除条件が成立したか否かを判別する（ステップＳ３０６）。ＣＰＵ１１は、自動制御の解除条件が成立したと判別した場合（ステップＳ３０６：ＹＥＳ）、電動ブラインド２００を規定の状態に制御する（ステップＳ３０７）。ＣＰＵ１１は、ステップＳ３０７の処理を完了すると、自動制御処理を完了する。一方、ＣＰＵ１１は、自動制御の解除条件が成立しないと判別した場合（ステップＳ３０６：ＮＯ）、制御する状態を選択する（ステップＳ３０８）。
【００８２】
ＣＰＵ１１は、ステップＳ３０８の処理を完了すると、電動ブラインド２００を選択された状態に制御する（ステップＳ３０９）。ＣＰＵ１１は、ステップＳ３０９の処理を完了すると、天気予報が更新されたか否かを判別する（ステップＳ３１０）。なお、ＣＰＵ１１は、例えば、クラウドサーバ７１０を介して気象予報サーバ７３０にアクセスすることにより、天気予報が更新されたか否かを判別することができる。ＣＰＵ１１は、天気予報が更新されていないと判別すると（ステップＳ３１０：ＮＯ）、ステップＳ３０５に処理を戻す。一方、ＣＰＵ１１は、天気予報が更新されたと判別すると（ステップＳ３１０：ＹＥＳ）、ステップＳ３０１に処理を戻す。
【００８３】
本実施形態では、制御モードに応じて、利用者への通知内容や電動ブラインド２００に対する制御の有無が適切に選択される。例えば、制御モードが留守番モードである場合、電動ブラインド２００を自動で全開に制御したとしても、利用者の快適性が損なわれる可能性が低い。このため、省エネを優先して電動ブラインド２００が自動で全開に制御され、電動ブラインド２００が自動で全開に制御された旨が利用者に通知される。従って、本実施形態によれば、利用者の利便性や快適性を考慮した適切な省エネ制御が期待できる。
【００８４】
（実施形態３）
実施形態１、２では、制御モードなどの条件が不変であれば、利用者に通知される通知情報の内容が不変である例について説明した。本発明において、制御モードなどの条件が不変であっても、利用者に通知される通知情報の内容が変更されてもよい。
【００８５】
例えば、通知情報の通知回数（表示回数）が多い程、或いは、通知情報の通知頻度（表示頻度）が高い程、通知内容を簡略化することが好適である。例えば、図１７に示すように、利用者に通知される通知情報が、通知回数の増加とともに簡略化されてもよい。画面７２は、省エネのために電動ブラインド２００を操作する意義について詳細に説明する通知情報を含む画面である。画面７３は、省エネのために電動ブラインド２００を操作すべきことを簡単な表現で通知する通知情報を含む画面である。画面７４は、省エネのために電動ブラインド２００を操作すべきことをアニメーションにより通知する画面である。
【００８６】
通知回数は、予め定められた時点（例えば、制御システム１０００の導入時点）から現時点までにおける通知情報の通知回数である。通知頻度は、予め定められた期間（例えば、直近の１ヶ月間）内における通知情報の通知回数である。通知回数が第１の閾値（例えば、１０回）未満の場合に画面７２が表示され、通知回数が第１の閾値（例えば、１０回）以上で第２の閾値（例えば、１００回）未満の場合に画面７３が表示され、通知回数が第２の閾値（例えば、１００回）以上の場合に画面７４が表示される。通知頻度を採用する場合も通知回数を採用する場合と同様に、予め定められた閾値に応じて表示される画面が切り替えられる。本実施形態によれば、省エネのための電動ブラインド２００の操作に関して、説明不足や煩わしさを低減することが期待できる。
【００８７】
（変形例）
以上、本発明の実施形態を説明したが、本発明を実施するにあたっては、種々の形態による変形及び応用が可能である。
【００８８】
本発明において、上記実施形態において説明した構成、機能、動作のどの部分を採用するのかは任意である。また、本発明において、上述した構成、機能、動作のほか、更なる構成、機能、動作が採用されてもよい。また、上記実施形態において説明した構成、機能、動作は、自由に組み合わせることができる。
【００８９】
ユーザに通知される通知情報や電動ブラインド２００に対する制御は、上述した例に限定されないことはもちろんである。例えば、実施形態２において、留守番モードに設定されている場合、図１８に示すように、電動ブラインド２００を自動で制御せずに、電動ブラインド２００に対する操作を促してもよい。例えば、母親が外出中であり子供が建物１０の内部にいるときに留守番モードに設定された場合、子供でも理解できるように、電動ブラインド２００の操作を促す通知情報が子供に通知されることが好ましい。
【００９０】
図１８に示す画面８０は、画像８１と、画像８２と、ボタン８３とを備えている。画像８１は、電動ブラインド２００を開ける操作を促す画像である。画像８２は、ボタン８３をタッチすることを母親が進めていることを示す画像である。ボタン８３は、電動ブラインド２００を開ける操作を受け付けるボタンである。かかる構成であれば、省エネについて良く理解していない子供にも、電動ブラインド２００を開ける操作を実行させることが期待できる。
【００９１】
また、外出中の母親が、省エネのために電動ブラインド２００を操作できるようにしてもよい。例えば、図１９に示すように、端末装置７２０に画面９０を提示させた後に、端末装置７２０に画面９４を提示させることができる。画面９０は、通知情報９１と、ボタン９２と、ボタン９３とを含む。通知情報９１は、省エネのために電動ブラインド２００を開ける意思があるか否かを問う情報である。ボタン９２は、省エネのために電動ブラインド２００を開ける意思がある場合に押圧すべきボタンである。ボタン９３は、省エネのために電動ブラインド２００を開ける意思がない場合に押圧すべきボタンである。
【００９２】
ここで、ボタン９２が押圧されると、画面９４が表示される。画面９４は、スライダ９５と画像９６とを含む。スライダ９５は、電動ブラインド２００を操作するためのスライダである。画像９６は、電動ブラインド２００を開けるべきことを促す画像である。なお、ボタン９３が押圧されると、画面９４は表示されない。かかる構成によれば、外出中の利用者が、適宜、省エネのために電動ブラインド２００を操作することができる。
【００９３】
また、建物１０の利用者が複数存在する場合において、利用者毎に通知情報を用意してもよい。例えば、利用者が子供であり省エネに対する理解が不足する場合、通知情報を分かりやすいものにすることが好適である。一方、利用者が成人であり省エネに対する理解が十分である場合、通知内容を簡略化することができる。なお、複数の利用者のスケジュールを示すスケジュール情報がフラッシュメモリ１４やハードディスク７１３に記憶されている場合、どの機器にどの通知情報を通知することが適切か容易に判別することが期待できる。
【００９４】
また、電動ブラインド２００を自動で制御することを許可された割合に応じて、通知情報や制御内容が決定されてもよい。例えば、図１０に示す画面６０において、ボタン６４が押圧された割合が、ボタン６５が押圧された割合よりも低い場合、電動ブラインド２００を自動で制御しないことを前提とした通知情報を通知する。一方、ボタン６４が押圧された割合が、ボタン６５が押圧された割合よりも高い場合、電動ブラインド２００を自動で制御することを前提とした通知情報を通知したり、電動ブラインド２００を自動で制御したりする。この割合は、利用者毎に算出されてもよいし、全ての利用者に共通で算出されてもよい。
【００９５】
実施形態１では、通知情報が、画面の表示により、利用者に通知される例について説明した。通知情報は、音声の出力により、利用者に通知されてもよい。この場合、制御装置１００や端末装置７２０は、音声を出力するスピーカと、スピーカから音声を出力させる音声処理インターフェースと、を備えていればよい。実施形態１では、制御装置１００が、設備機器（空調機器３００、照明機器４００）を制御可能な例について説明した。制御装置１００が、設備機器を制御可能でなくてもよい。この場合、例えば、制御装置１００は、設備機器に対する操作がなされたことを示す情報を、設備機器、又は、設備機器を操作するリモコンから受信し、受信した情報に基づいて、設備機器に対して省エネに反する操作がなされたか否かを判別することができる。
【００９６】
実施形態１では、電動ブラインド２００が全開状態に制御される例、つまり、遮蔽レベルが１に設定される例について説明した。電動ブラインド２００が全開状態以外の状態に制御されてもよい。例えば、電動ブラインド２００の遮蔽レベルが３又は４であるときに、空調機器３００に対して暖房操作がなされた場合、電動ブラインド２００の遮蔽レベルが２に設定されてもよい。また、実施形態２では、電動ブラインド２００が自動で制御された後に、電動ブラインド２００が自動で制御された旨が通知される例について説明した。電動ブラインド２００が自動で制御される旨が通知された後に、電動ブラインド２００が自動で制御されてもよい。
【００９７】
実施形態１では、制御装置１００が有する機能の多くがソフトウェア（又は、ファームウェア）により実現される例、つまり、制御装置１００が有する機能の多くがプロセッサによるプログラムの実行により実現される例について説明した。本発明において、このような機能は、ハードウェアにより実現されてもよい。この場合、例えば、制御装置１００は、ＣＰＵに代えて、処理回路を備える。この処理回路は、例えば、単一回路、複合回路、プログラム化したプロセッサ、並列プログラム化したプロセッサ、ＡＳＩＣ（Application Specific Integrated Circuit）、ＦＰＧＡ（Field Programmable Gate Array）、又はこれらの組合せにより構成される。
【００９８】
本発明に係る制御装置１００の動作を規定する動作プログラムを既存のパーソナルコンピュータや情報端末装置に適用することで、当該パーソナルコンピュータを本発明に係る制御装置１００として機能させることも可能である。また、このようなプログラムの配布方法は任意であり、例えば、ＣＤ−ＲＯＭ（Compact Disk Read-Only Memory）、ＤＶＤ（Digital Versatile Disk）、メモリカードなどのコンピュータ読み取り可能な記録媒体に格納して配布してもよいし、通信ネットワーク（例えば、インターネット）を介して配布してもよい。
【００９９】
本発明は、本発明の広義の精神と範囲を逸脱することなく、様々な実施形態及び変形が可能とされるものである。また、上述した実施形態は、本発明を説明するためのものであり、本発明の範囲を限定するものではない。つまり、本発明の範囲は、実施形態ではなく、請求の範囲によって示される。そして、請求の範囲内及びそれと同等の発明の意義の範囲内で施される様々な変形が、本発明の範囲内とみなされる。
【産業上の利用可能性】
【０１００】
本発明は、遮蔽設備を制御する制御システムに適用可能である。
【符号の説明】
【０１０１】
１０  建物、１１  ＣＰＵ、１２  ＲＯＭ、１３  ＲＡＭ、１４，７２３  フラッシュメモリ、１５  ＲＴＣ、１６，７２４  タッチスクリーン、１７  宅内通信インターフェース、１８  宅外通信インターフェース、２０  商用電源、２１  壁、２２  窓、２３  開孔部、３０  発電パネル、４０  パワーコンディショナ、５０  分電盤、６０，６６，７０，７２，７３，７４，８０，９０，９４  画面、６１  ドロップダウンリスト、６２  スライドボタン、６３，６７，７１，９１  通知情報、６４，６５，８３，９２，９３  ボタン、８１，８２，９６  画像、９５  スライダ、１００  制御装置、１０１  設備制御部、１０２  通知部、１０３  許可受付部、１０４  操作受付部、１０５  機器制御部、１０６  記憶部、１０７  日射制御部、１０８  スケジュール生成部、２００  電動ブラインド、２１０  収納部、２１１  制御部、２１２  通信部、２１３  駆動部、２２０  ガイド部、２２１  スラット、２２２，２２３，２２４，２２５  糸、２２６  重り、３００  空調機器、４００  照明機器、５００  電力計測装置、６００  宅内ネットワーク、６１０  宅外ネットワーク、７１０  クラウドサーバ、７１１，７２１  プロセッサ、７１２，７２２  通信インターフェース、７１３  ハードディスク、７２０  端末装置、７３０  気象予報サーバ、１０００，１１００  制御システム
【図１】
2018179400.tif 000003
【図２】
2018179400.tif 000004
【図３】
2018179400.tif 000005
【図４】
2018179400.tif 000006
【図５】
2018179400.tif 000007
【図６】
2018179400.tif 000008
【図７】
2018179400.tif 000009
【図８】
2018179400.tif 000010
【図９】
2018179400.tif 000011
【図１０】
2018179400.tif 000012
【図１１】
2018179400.tif 000013
【図１２】
2018179400.tif 000014
【図１３】
2018179400.tif 000015
【図１４】
2018179400.tif 000016
【図１５】
2018179400.tif 000017
【図１６】
2018179400.tif 000018
【図１７】
2018179400.tif 000019
【図１８】
2018179400.tif 000020
【図１９】
2018179400.tif 000021
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
建物の内部に入る日射を遮蔽する遮蔽設備を制御する設備制御手段と、
前記遮蔽設備により前記日射の少なくとも一部が遮蔽されているときに、前記日射の遮蔽による効果と相反する運転効果を有する設備機器に対して運転出力を上げる操作がなされた場合、前記建物の利用者に予め定められた情報を通知する通知手段と、を備える、
制御装置。
【請求項２】
前記通知手段は、前記日射の少なくとも一部が遮蔽されているときに前記操作がなされた場合、前記日射の遮蔽量を減らすことの許可を求める情報を前記利用者に通知し、
前記利用者から前記許可を受け付ける許可受付手段を更に備え、
前記設備制御手段は、前記許可が受け付けられた場合、前記遮蔽設備の制御により前記日射の遮蔽量を減らす、
請求項１に記載の制御装置。
【請求項３】
前記設備機器に対する前記操作を受け付ける操作受付手段と、
前記操作に基づいて前記設備機器を制御する機器制御手段と、を更に備え、
前記機器制御手段は、前記許可が受け付けられた場合、前記操作に基づいて前記設備機器を制御しない、
請求項２に記載の制御装置。
【請求項４】
前記設備機器に対する前記操作を受け付ける操作受付手段と、
前記操作に基づいて前記設備機器を制御する機器制御手段と、を更に備え、
前記機器制御手段は、在宅モードと留守番モードとのうち前記留守番モードが設定され前記日射の少なくとも一部が遮蔽されているときに前記操作がなされた場合、前記操作に基づいて前記設備機器を制御する、
請求項１に記載の制御装置。
【請求項５】
前記設備制御手段は、前記留守番モードが設定され前記日射の少なくとも一部が遮蔽されているときに前記操作がなされた場合、前記遮蔽設備の制御により前記日射の遮蔽量を減らし、
前記通知手段は、前記留守番モードが設定され前記日射の少なくとも一部が遮蔽されているときに前記操作がなされた場合、前記日射の遮蔽量を減らしたことを知らせる情報を前記利用者に通知する、
請求項４に記載の制御装置。
【請求項６】
前記通知手段は、前記留守番モードが設定され前記日射の少なくとも一部が遮蔽されているときに前記操作がなされた場合、前記日射の遮蔽量を減らすことの許可を求める情報を前記利用者に通知し、
前記利用者から前記許可を受け付ける許可受付手段を更に備え、
前記設備制御手段は、前記許可が受け付けられた場合、前記遮蔽設備の制御により前記日射の遮蔽量を減らす、
請求項４に記載の制御装置。
【請求項７】
前記通知手段は、前記予め定められた情報を表示する表示手段である、
請求項１から６の何れか１項に記載の制御装置。
【請求項８】
前記通知手段は、前記予め定められた情報を表示する表示装置に前記予め定められた情報を送信する送信手段である、
請求項１から６の何れか１項に記載の制御装置。
【請求項９】
前記予め定められた情報は、表示回数と表示頻度とのうちの少なくとも一方に応じて段階的に切り替えられる情報である、
請求項７又は８に記載の制御装置。
【請求項１０】
制御装置と端末装置とを備える制御システムであって、
前記制御装置は、
建物の内部に入る日射を遮蔽する遮蔽設備を制御する設備制御手段と、
前記遮蔽設備により前記日射の少なくとも一部が遮蔽されているときに、前記日射の遮蔽による効果と相反する運転効果を有する設備機器に対して運転出力を上げる操作がなされた場合、予め定められた情報を前記端末装置に送信する送信手段と、を備え、
前記端末装置は、前記送信手段により送信された情報を表示する表示手段を備える、
制御システム。
【請求項１１】
建物の内部に入る日射を遮蔽する遮蔽設備を制御し、
前記遮蔽設備により前記日射の少なくとも一部が遮蔽されているときに、前記日射の遮蔽による効果と相反する運転効果を有する設備機器に対して運転出力を上げる操作がなされた場合、予め定められた情報を表示する、
制御方法。
【請求項１２】
コンピュータを、
建物の内部に入る日射を遮蔽する遮蔽設備を制御する設備制御手段、
前記遮蔽設備により前記日射の少なくとも一部が遮蔽されているときに、前記日射の遮蔽による効果と相反する運転効果を有する設備機器に対して運転出力を上げる操作がなされた場合、前記建物の利用者に予め定められた情報を通知する通知手段、として機能させる、
プログラム。
【国際調査報告】
2018179400.tif 000022
2018179400.tif 000023
2018179400.tif 000024
2018179400.tif 000025